(57)【要約】      （修正有）【課題】十分な発電量を確保するとともに、意匠性を向上できる時計を提供する。【解決手段】時計は、文字板４１と、文字板４１の外周に沿って文字板４１上に配置される見切り部材３０と、文字板４１側に受光面３３１を向けて見切り部材３０の底面３１に配置されるソーラーセル３３と、を備え、文字板４１には、見切り部材３０の底面３１に隠れるように配置されているソーラーセル３３の受光面３３１に向けて光を反射する反射部５０が設けられている。【選択図】図３
2016038285.tif 000002
【特許請求の範囲】
【請求項１】
文字板と、
前記文字板の外周に沿って前記文字板上に配置される見切り部材と、
前記文字板側に受光面を向けて前記見切り部材の底面に配置されるソーラーセルと、を備え、
前記受光面に向けて光を反射する反射部が設けられていることを特徴とする時計。
【請求項２】
前記ソーラーセルは、前記文字板と離間するように配置され、
前記反射部が、前記文字板の表面側に設けられることを特徴とする請求項１に記載の時計。
【請求項３】
前記反射部は、少なくとも前記ソーラーセル近傍の前記文字板の表面に鏡面仕上げを施したものであることを特徴とする請求項２に記載の時計。
【請求項４】
前記反射部は、前記文字板の表面に設けられる前記受光面に向けて光を反射する傾斜面であることを特徴とする請求項２に記載の時計。
【請求項５】
前記文字板は、光が透過する材料からなり、
前記反射部が、前記文字板の裏面側に設けられていることを特徴とする請求項１に記載の時計。
【請求項６】
前記反射部が、少なくとも前記ソーラーセル近傍の前記文字板の前記裏面に形成された光反射膜であることを特徴とする請求項５に記載の時計。
【請求項７】
前記反射部が、少なくとも前記ソーラーセル近傍の前記文字板の前記裏面側に設けられた光反射板であることを特徴とする請求項５に記載の時計。
【発明の詳細な説明】
【技術分野】
【０００１】
本発明は、ソーラーセルによって発電された電力によって作動する時計に関する。
【背景技術】
【０００２】
従来、ソーラーセルによって発電された電力によって作動する時計では、文字板の裏面にソーラーセルを配置していたため、文字板には光を透過する透明若しくは半透明（以下、光透過性という）の材料を用いる必要があった。このため、材料自体をプラスチックまたはガラスなど光透過性のあるものにし、さらに裏面に着色を施す場合も光透過性のあるインク等を用いて印刷もしくは透明蒸着膜する必要があるので材料等の選択幅が狭いという問題がある。また、文字板の材料を選択するときには、当然、意匠性を考慮して色が選択されるが、着色された半透明の材料の裏面にソーラーセルがあるとソーラーセルの黒っぽい色が多重され、本来の選択した半透明材料の色が出ず、文字板の意匠性が低下するという問題もある。
【０００３】
このため、文字板の裏面ではなく、見切りリングの外周にソーラーセルを設けることが提案されている（例えば、特許文献１参照）。
これにより、文字板を光透過性の材料とする必要がなく、材料の選択幅が広がるとともに、光透過性の材料であってもソーラーセルの色によって本来の材料の色が出せないことも回避することができる。
【先行技術文献】
【特許文献】
【０００４】
【特許文献１】特開２００４−２１２３８９号公報
【発明の概要】
【発明が解決しようとする課題】
【０００５】
しかしながら、前述した特許文献１に記載の時計においては、ソーラーセルを時計の厚み方向に配置しているため、十分な発電量を確保するためには、時計の厚さ、特に風防ガラスと文字板との間隙を広く取ることになるので、意匠性が低下するという問題が依然としてある。
【０００６】
本発明は、従来の問題を解決するためになされたもので、十分な発電量を確保するとともに、意匠性を向上できる時計を提供することを目的とする。
【課題を解決するための手段】
【０００７】
本願発明に係る時計は、文字板と、前記文字板の外周に沿って前記文字板上に配置される見切り部材と、前記文字板側に受光面を向けて前記見切り部材の底面に配置されるソーラーセルと、を備え、前記受光面に向けて光を反射する反射部が設けられている。
【発明の効果】
【０００８】
本発明によれば、十分な発電量を確保するとともに、意匠性を向上できる時計を提供することができる。
【図面の簡単な説明】
【０００９】
【図１】本発明に係る第１実施形態の時計を示す外観斜視図である。
【図２】図１中ＩＩ−ＩＩ位置の断面図である。
【図３】本発明に係る第１実施形態の時計における光の経路を示す断面図である。
【図４】本発明に係る第２実施形態の時計における光の経路を示す断面図である。
【図５】本発明に係る第３実施形態の時計における光の経路を示す断面図である。
【図６】本発明に係る第４実施形態の時計における光の経路を示す断面図である。
【発明を実施するための形態】
【００１０】
（第１実施形態）
以下、本発明に係る第１実施形態の時計について、図面を用いて説明する。
図１に示すように、本発明に係る第１実施形態の時計１０は、例えば、指針式の腕時計に適用することができる。
図１及び図２に示すように、時計１０は、時計ケース２０を有する。時計ケース２０の上端部（図１において上側の端部）及び下端部には、バンド１１を取り付けるための固定部２２が対向して設けられている。
時計ケース２０は、全体略リング形状を呈しており、内部には中空部２１を有する。ここでは、円形のリング形状の場合を例示するが、楕円リング形状、矩形リング形状、多角形リング形状等の時計ケースでも同様である。
【００１１】
時計ケース２０の表面側（図２において上側）端部における内側には、風防ガラス４３が、パッキン４４を介して取り付けられる。
また、中空部２１には、時計モジュール４０が収容されている。時計モジュール４０の裏面側（図２において下側）には、中空部２１を覆う裏蓋４５が時計ケース２０に取り付けられている。
なお、以下の説明においては、風防ガラス４３側を「表面側」とし、裏蓋４５側を「裏面側」として説明する。
【００１２】
時計モジュール４０は、時計機能に必要な電子回路及びアナログムーブメントを備え、その表面側面に文字板４１及び時針、分針、秒針などの指針４２が設けられている。
風防ガラス４３の裏面側の外周縁には、全体円環状の見切り部材３０が設けられており、この見切り部材３０は、光を透過させない材料で形成されている。
なお、以降の説明では、本実施形態の見切り部材３０がリング形状をしていることから、見切り部材３０のことを見切りリング３０と呼ぶことにする。
見切りリング３０は、平面状の底面３１と、底面３１の表面側において外側（図２中右側）に向かうに従って表面側に傾いた傾斜面３２を有する。
【００１３】
見切りリング３０の底面３１の裏面側には、光を受けて発電するソーラーセル３３が、受光面３３１を裏面側（文字板４１側）に向けて取り付けられている。ソーラーセル３３は見切りリング３０の形状に対応した形状を有しており、ここでは、円形リング形状を呈している。ソーラーセル３３の幅は、発電量を高める意味から大きい方が望ましいが、見切りリング３０の内側端（図２において左端）から内側に突出しないようにして、文字板４１を見たときにソーラーセル３３の存在が認識されないようにすることが意匠性の面では望ましい。このことから、ソーラーセル３３の幅は、見切りリング３０の底面３１の幅と略等しくすることが好適である。図２に示すように、風防ガラス４３と文字板４１との間には空間４６が設けられており、この空間４６内に見切りリング３０、および、ソーラーセル３３が配置されるが、本実施形態では、ソーラーセル３３の受光面３３１と文字板４１の表面４１１との間に隙間Ｓが設けられるようにソーラーセル３３は配置されている。また、この空間４６内には、文字板４１上に設けられる指針４２が運針可能に収容されている（図１参照）。
【００１４】
図２および図３に示すように、文字板４１には、ソーラーセル３３の受光面３３１に向けて光を反射する反射部５０が設けられている。反射部５０としては、文字板４１の表面４１１に、例えば鏡面仕上げ５１のような反射を高める加工を施すことで構成することが可能である。なお、鏡面仕上げの場合、図２および図３に示すように反射部５０が厚みを持つことはないが、ここでは、どこに反射部５０が設けられているのかがわかり易いように厚みがあるような図示にしている。鏡面仕上げ５１の範囲は、文字板４１の全面に施すことも可能であるが、反射光をソーラーセル３３の受光面３３１に受光させることが主目的であるので、図２および図３に示すように、その目的が達成できる範囲だけに鏡面仕上げ５１を施すようにしてもよい。
なお、反射部５０は、鏡面仕上げ限定されるものではなく、図２および図３に示すような見切りリング３０の底面３１近傍の文字板４１上だけに設けるような目立たない所に設ける場合、光反射膜で構成するようにしてもよい。
そして、図３に示されるように、本構成では、ソーラーセル３３の受光面３３１に光を受光させるために、文字板４１に光透過性の材料を用いる必要がないので、文字板４１に金属等の材料を用いることも可能である。
【００１５】
次に、第１実施形態の時計１０の作用効果について説明する。
図３に示すように、本実施形態の時計１０では、文字板４１の表面側には、文字板４１の外周に沿って光を透過しない材料からなる見切りリング３０が配置されている。そして、ソーラーセル３３は、見切りリング３０に隠れるように見切りリング３０の底面３１に設けられている。このため、ソーラーセル３３の存在を認識させないようにできるので意匠性が向上する。
【００１６】
また、ソーラーセル３３の受光面３３１が文字板４１側に向くように配置されるとともに、文字板４１には、ソーラーセル３３の受光面３３１に向けて光を反射する反射部５０が設けられている。したがって、文字板４１の反射部５０に照射された光が、反射部５０で反射して、ソーラーセル３３の受光面３３１に照射されるので、十分な発電量を確保することができる。また、文字板４１に光透過性の材料を選択する必要がないので材料選択の自由度が高いだけでなく、文字板４１の裏面４１２に黒っぽいソーラーセル３３を設けないので、文字板４１に光透過性の材料を用いた場合でも、ソーラーセル３３の黒っぽい色が多重されることがないため文字板４１に用いた材料本来の色の文字板４１とすることができるので意匠性が向上する。
【００１７】
なお、本実施形態では、文字板４１の表面４１１に反射部５０を設けるようにしているので、その反射部５０で反射した光が、ソーラーセル３３の受光面３３１に入射するように、ソーラーセル３３と文字板４１との間に隙間Ｓを設けている。この隙間Ｓが大きいとその分だけ多くの光をソーラーセル３３に受光させることができるが、隙間Ｓを大きくすると、文字板４１と風防ガラス４３との距離が離れることになるので、それによる見栄えの低下も考慮して適切な隙間Ｓを設定すればよい。なお、この隙間Ｓに入射する光は、ソーラーセル３３と反射部５０との間で多重反射されて奥の方（図３の左側）に届く光もあることから、比較的、小さい隙間Ｓとすることが可能である。
【００１８】
また、本実施形態の時計１０では、反射部５０は、少なくともソーラーセル３３近傍の文字板４１の表面４１１に鏡面仕上げ５１を施すようにすることで構成されている。
このように鏡面仕上げ５１を施すことで光の反射率の高い反射部５０を実現することが可能であり、ソーラーセル３３の光の受光効率を高くしてソーラーセル３３の発電効率を良くできるだけでなく、鏡面仕上げ５１の場合、例えば、文字板４１の表面４１１全体に施すことで文字板４１の見栄えを良くすることもできる。
【００１９】
（第２実施形態）
次に、本発明に係る第２実施形態の時計を説明する。なお、前述した第１実施形態の時計１０と共通する部位には同じ符号を付して、重複する説明を省略することとする。
図４に示すように、第２実施形態の時計では、反射部５０として、文字板４１の表面４１１に傾斜面５２を設けた。傾斜面５２は、文字板４１に照射された光をソーラーセル３３の受光面３３１に向かって反射するように、外側（図４中右側）に向かって裏面側へ傾斜している。傾斜面５２は、見切りリング３０に沿って全周に設けられており、文字板４１自体に傾斜面５２を作り込むようにすることもできるが、文字板４１とは別の部品として傾斜面５２を構成するための部品を作製しておき、文字板４１上に設けるようにしてもよい。
なお、光の反射率を高めるために、傾斜面５２に鏡面仕上げを施すようにしてもよい。
【００２０】
次に、第２実施形態の時計の作用効果について説明する。
本実施形態によれば、第１実施形態と同様に意匠性や材料選択の自由度が高いだけでなく、反射部５０が、文字板４１の表面４１１に設けられる受光面３３１に向けて光を反射する傾斜面５２で構成されているので光の反射方向を積極的に操ることができる。
つまり、ソーラーセル３３の発電効率が高くなるように傾斜面５２の傾斜角度を調整することが可能である。
【００２１】
（第３実施形態）
次に、本発明に係る第３実施形態の時計を説明する。なお、前述した第１実施形態の時計１０および第２実施形態の時計と共通する部位には同じ符号を付して、重複する説明を省略することとする。
図５に示すように、第３実施形態の時計では、反射部５０として、文字板４１の裏面４１２側に光反射板５３を設けている。図５では、光反射板５３の反射面となる表面５３１を明示するために文字板４１と光反射板５３とが離間しているように描いているが、離間している必要はなく、光反射板５３の表面５３１は、文字板４１の裏面４１２に接触していてもよい。光反射板５３の表面５３１と文字板４１の裏面４１２を接触させるようにし、隙間を開けないようにした方が、隙間で発生する多重反射や散乱を抑制できるので効率よくソーラーセル３３側に光を反射させることができ好適である。
【００２２】
本実施形態では、光が文字板４１を透過する必要があるので、文字板４１は光透過性の材料で形成されている。光反射板５３は、文字板４１の裏面４１２の全体に設けられるようなサイズでもよいが、光を反射して、ソーラーセル３３の受光面３３１に光を入射させることが目的であるので、図５に示すように、見切りリング３０からあまり内側にはみ出て見えないようにして意匠性を高めるのが好適である。
これにより、光は、文字板４１を透過して、光反射板５３の反射面で反射し、再び文字板４１を透過してソーラーセル３３の受光面３３１に入射する。
なお、本実施形態では、第１実施形態や第２実施形態の隙間Ｓの役目を文字板４１が果たすので、図５では、隙間Ｓを設けた形態を示しているが、隙間Ｓを設けることなく、ソーラーセル３３の受光面３３１と文字板４１の表面４１１とが接触しているような状態としてもよい。
【００２３】
次に、第３実施形態の時計の作用効果について説明する。
本実施形態によれば、第１実施形態や第２実施形態のように、光を透過しない材料を文字板４１に選択できないが、上述したように、文字板４１自体が隙間Ｓの役目を果たすので隙間Ｓを小さくする若しくは隙間Ｓを設けないようにすることが可能であり、このため文字板４１と風防ガラス４３との距離を短くし、意匠性を高めることができる。
【００２４】
また、光反射板５３を文字板４１の裏面４１２全体に設けるようにする場合、反射率の高い色として、例えば、金、銀、白など選べば、ソーラーセル３３の黒っぽい色の場合と異なり、光の吸収が少ないため、視覚的に認識される色は、文字板４１の材料本来の色に近い色として認識されるので良好な意匠性を実現することができる。
【００２５】
（第４実施形態）
次に、本発明に係る第４実施形態の時計を説明する。なお、前述した第１実施形態の時計１０ないし第３実施形態の時計と共通する部位には同じ符号を付して、重複する説明を省略することとする。
図６に示すように、第４実施形態の時計では、反射部５０として、文字板４１の裏面４１２に、ミラーインクによる塗装や、蒸着による金属膜など反射性の強いもの（光反射膜５４）を設けている。なお、膜の色としては、反射率が高い金、銀、青、白などが好適である。
【００２６】
本実施形態でも、第３実施形態と同様に、光が文字板４１を透過する必要があるので、文字板４１は光透過性の材料で形成されている。光反射膜５４は、文字板４１の裏面４１２の全体に形成してもよいが、文字板４１を透過してきた光を反射して、ソーラーセル３３の受光面３３１に光を入射させることが目的であるので、見切りリング３０からあまり内側にはみ出て見えないような範囲に留め意匠性を高めるのが好適である。
これにより、光は、文字板４１を透過して、光反射膜５４で反射し、再び文字板４１を透過してソーラーセル３３の受光面３３１に入射する。
なお、本実施形態でも第３実施形態と同様に、文字板４１が、第１、２実施形態の隙間Ｓの役目を果たすので隙間Ｓを設けないようにしてもよい。
【００２７】
次に、第４実施形態の時計の作用効果について説明する。
本実施形態によれば、反射部５０が、文字板４１に対する膜として形成されるので、第３実施形態のように、別部品として反射部５０を構成する必要がないため、部品コストの低減が図れる。また、反射膜を文字板４１の裏面４１２全体に設ける場合、色として、金、銀、白のような色を選べば、前述したように、文字板４１の色は、文字板４１の材料本来の色に近い色として認識されるので良好な意匠性を実現することができる。
【００２８】
本発明の時計は、前述した各実施形態に限定されるものでなく、本発明の目的を逸脱しない範囲における変形や改良等を行ってよいことは言うまでもない。
前述した各実施形態においては、見切り部材３０は光を透過させない材料で形成されているが、ソーラーセル３３の色が見えなければ光を透過する材料で形成されても良い。
例えば、前述した各実施形態においては、時計としてアナログ時計の場合を説明したが、文字板に開口を設けて液晶画面を嵌め込んで時間をディジタル表示するようなディジタル時計に対しても適用可能である。
【００２９】
このような種々の変形や改良が、本発明の技術的範囲に含まれることは、特許請求の範囲の記載から明らかである。
【００３０】
以下に、この出願の願書に最初に添付した特許請求の範囲に記載した発明を付記する。付記に記載した請求項の項番は、この出願の願書に最初に添付した特許請求の範囲の通りである。
＜請求項１＞
文字板と、
前記文字板の外周に沿って前記文字板上に配置される見切り部材と、
前記文字板側に受光面を向けて前記見切り部材の底面に配置されるソーラーセルと、を備え、
前記受光面に向けて光を反射する反射部が設けられていることを特徴とする時計。
＜請求項２＞
前記ソーラーセルは、前記文字板と離間するように配置され、
前記反射部が、前記文字板の表面側に設けられることを特徴とする請求項１に記載の時計。
＜請求項３＞
前記反射部は、少なくとも前記ソーラーセル近傍の前記文字板の表面に鏡面仕上げを施したものであることを特徴とする請求項２に記載の時計。
＜請求項４＞
前記反射部は、前記文字板の表面に設けられる前記受光面に向けて光を反射する傾斜面であることを特徴とする請求項２に記載の時計。
＜請求項５＞
前記文字板は、光が透過する材料からなり、
前記反射部が、前記文字板の裏面側に設けられていることを特徴とする請求項１に記載の時計。
＜請求項６＞
前記反射部が、少なくとも前記ソーラーセル近傍の前記文字板の前記裏面に形成された光反射膜であることを特徴とする請求項５に記載の時計。
＜請求項７＞
前記反射部が、少なくとも前記ソーラーセル近傍の前記文字板の前記裏面側に設けられた光反射板であることを特徴とする請求項５に記載の時計。
【符号の説明】
【００３１】
１０  時計
３０  見切りリング（見切り部材）
３３  ソーラーセル
３３１  受光面
４１  文字板
４１１  表面
４１２  裏面
５０  反射部
５１  鏡面仕上げ
５２  傾斜面
５３  光反射板
５４  光反射膜
【図１】
2016038285.tif 000003
【図２】
2016038285.tif 000004
【図３】
2016038285.tif 000005
【図４】
2016038285.tif 000006
【図５】
2016038285.tif 000007
【図６】
2016038285.tif 000008